【手続補正書】
【提出日】平成19年9月28日(2007.9.28)
【手続補正１】
【補正対象書類名】明細書
【補正対象項目名】特許請求の範囲
【補正方法】変更
【補正の内容】
【特許請求の範囲】
【請求項１】  プラットホーム上に配置された複数のサンプルの属性を検出する方法であって、
前記属性を検出するための検出器の上に前記プラットホームを置くことを含み、
前記検出器が調整可能パラメータを有し、さらに、前記プラットホームの特性の複数の測定を実施して、前記特性の複数の測定値を得ることを含み、
前記測定が、前記プラットホーム上の異なる位置で実施され、さらに、
停止することなく前記検出器が少なくとも１つの前記サンプルを横切るように、前記検出器を連続的に、前記プラットホームに対して相対的に動かすこと、および
前記連続移動の間に、前記検出器を用いて前記サンプルの前記属性を測定し、前記測定値に基づいて前記パラメータを調整すること
を含む方法。
【請求項２】  プラットホーム上に配置された複数のサンプルの属性を検出する方法であって、
前記属性を検出するための検出器の上に前記プラットホームを置くことを含み、
前記検出器が調整可能パラメータを有し、さらに、前記プラットホームの特性の複数の測定を実施して、前記特性の複数の測定値を得ることを含み、
前記測定が、前記プラットホーム上の異なる位置で実施され、さらに、
前記測定値に基づいて前記パラメータが調整された前記検出器を用いて前記サンプルの前記属性を測定すること
を含む方法。
【請求項３】  前記測定段階がさらに、前記の前記測定値に基づいて前記検出器の前記パラメータの複数の調整を実施することを含む、請求項２に記載の方法。
【請求項４】  前記プラットホームがマルチウェルプレートである、請求項２に記載の方法。
【請求項５】  前記属性が前記サンプルの蛍光であり、前記検出器が蛍光を測定するように適合される、請求項２に記載の方法。
【請求項６】  前記属性が前記サンプルの蛍光であり、前記検出器が蛍光を測定するように適合される、請求項３に記載の方法。
【請求項７】  化学物質スクリーニングシステムにおいて、前記マルチウェルプレートの１つまたは複数のウェル中の化学的活性の徴候を求めて前記マルチウェルプレートを走査する方法であって、前記マルチウェルプレートの変動する特性の輪郭を求め、走査処理の実行中に、前記輪郭に基づいて前記化学的活性の検出器を調整することを含む方法。
【請求項８】  マルチウェルプレートの複数のウェルに入れられた個々のサンプルの属性を検出する方法であって、
前記属性を測定するように適合された検出器の中に前記マルチウェルプレートを置くことを含み、
前記検出器が、検出ヘッド、調整可能パラメータおよび前記マルチウェルプレートの特徴を測定するためのセンサを有し、さらに、前記特徴の前記センサを用いて、前記マルチウェルプレート上の所定の複数の位置で、またはこれらの位置のすぐ近くで複数の測定を実施して、それぞれの前記所定の位置で前記特徴の測定値を得ることを含み、
それぞれの前記所定の位置が、前記マルチウェルプレートの所定のウェルまたはそのすぐ近くに位置し、さらに、それぞれの所定のウェル中のサンプルの前記属性を、それぞれの所定のウェルまたはそのすぐ近くの所定の位置で測定した前記特徴の測定値に基づいて調整可能パラメータを調整した前記検出器を用いて測定することを含む方法。
【請求項９】  標的分子に対する調節活性を有する化学物質を同定する方法であって、
化学物質貯蔵／取出しモジュールから複数のサンプル化学物質を取り出すこと、
前記複数のサンプル化学物質を、マルチウェルプレートのそれぞれのウェルに入れること、
前記マルチウェルプレートを、化学的、生物学的または生化学的サンプルの属性を測定するように適合された検出器を備えた自動分析システムに移動すること
を含み、
前記検出器が、検出ヘッド、調整可能パラメータおよび前記マルチウェルプレートの特徴を測定するためのセンサを有し、さらに、
前記マルチウェルプレートを前記検出器の上に置くこと、
前記特徴の前記センサを用いて、前記マルチウェルプレート上の所定の複数の位置で、またはこれらの位置のすぐ近くで複数の測定を実施して、それぞれの前記所定の位置で前記特徴の測定値を得ること
を含み、
それぞれの前記所定の位置が、前記マルチウェルプレートの所定のウェルまたはそのすぐ近くに位置し、さらに、
それぞれの所定のウェル中のサンプルの属性を、それぞれの所定のウェルまたはそのすぐ近くの所定の位置で測定した前記特徴の測定値に基づいて調整可能パラメータを調製した前記検出器を用いて測定して、それぞれのサンプルの属性測定値を得ること、および、
前記属性測定値を解析して前記調節活性を検出すること
を含む方法。
【請求項１０】  約５０，０００化学物質／２４時間を超える速度で、前記貯蔵／取出しモジュールから化学物質を取り出すことを含む、請求項９に記載の方法。
【請求項１１】  マルチウェルプレートのウェル中の化学的、生物学的または生化学的サンプルの属性を検出する方法であって、
前記検出器が第１のウェルの第１の縁を横切り、第１のウェルを横切り、前記第１のウェルの第２の縁を横切るように、検出器を連続的に、前記マルチウェルプレートに対して相対的に動かすこと、および
前記検出器が前記第１のウェル上にある少なくとも一部の時間の間に属性を検出すること
を含む方法。
【請求項１２】  前記属性が光学特性である、請求項１１に記載の方法。
【請求項１３】  前記検出器が蛍光を測定するための手段を備える、請求項１１に記載の方法。
【請求項１４】  ウェル中の化学的、生物学的または生化学的サンプルの属性を分析する方法であって、
前記検出器が前記サンプルウェルの第１の縁を横切り、前記サンプルウェルを横切り、前記サンプルウェルの第２の縁を横切るように、検出器を連続的に、前記サンプルウェルに対して相対的に動かすこと、
前記検出器が動いているときに属性を測定して、属性を表すデータを検出器位置の関数として集めること、および
前記サンプルウェルを横切る方向の平均属性値を計算すること
を含む方法。
【請求項１５】  高スループットスクリーニングシステムにおいて、マルチウェルプレートのウェルを走査する方法であって、
前記ウェル中のサンプルの属性を測定するための検出器に対してマルチウェルプレートの表面を相対的に動かして、走査プロセスの第１の部分の間は、前記検出器が前記マルチウェルプレートの少なくともいくつかのウェルに隣接し、走査プロセスの第２の部分の間は、前記検出器が前記マルチウェルプレートの少なくともいくつかのウェルの間にあるようにすること、および
走査プロセスの前記第１の部分中と前記第２の部分中の両方で、前記検出器を用いて測定すること
を含む方法。
【請求項１６】  標的分子に対する調節活性を有する化学物質を同定する方法であって、
化学物質貯蔵／取出しモジュールから複数のサンプル化学物質を取り出すこと、
前記複数のサンプル化学物質を、マルチウェルプレートのそれぞれのウェルに入れること、
前記ウェルを自動分析システムに移動すること、
前記複数の化学物質の第１の化学物質を含むサンプルウェルに対して検出器を相対的に連続的に動かして、前記検出器が、前記サンプルウェルの第１の縁、前記サンプルウェル、および前記サンプルウェルの第２の縁を横切るようにすること、
前記検出器が動いているときに前記検出器を用いて測定して、サンプルウェルの属性を表すデータを検出器位置の関数として集めること、および
前記集められたデータを解析して前記調節活性を検出すること
を含む方法。
【請求項１７】  化学物質貯蔵／取出しモジュールから化学物質を取り出すこと、
前記化学物質をマルチウェルプレートのウェルに入れること、
実質的に連続的なラスタ走査で前記マルチウェルプレートを走査して、１つまたは複数の前記複数の化学物質の化学的または生物学的活性を検出すること
を含む高スループット薬剤発見法。
【請求項１８】  予め定義された分子標的に対する化学物質の調節活性を同定する方法であって、
前記化学物質を含む一組の試薬を、マルチウェルプレートのサンプルウェルの中に入れること、
前記検出器が、前記サンプルウェルの第１の縁、前記サンプルウェル、および前記サンプルウェルの第２の縁を横切るように、検出器を連続的に、前記サンプルウェルに対して相対的に動かすこと、
前記検出器が動いているときに光強度を測定して、サンプルウェルの属性を表すデータを検出器位置の関数として集めること、
前記データを解析して前記調節活性を検出すること
を含む方法。
【請求項１９】  薬剤を作る方法であって、
候補化合物を含む一組の試薬を、マルチウェルプレートのサンプルウェルの中に入れること、
前記検出器が、前記サンプルウェルの第１の縁、前記サンプルウェル、および前記サンプルウェルの第２の縁を横切るように、検出器を連続的に、前記サンプルウェルに対して相対的に動かすこと、
前記検出器が動いているときに光強度を測定して、前記サンプルウェルの属性を表すデータを検出器位置の関数として集めること、
前記データを解析して、前記候補化合物の薬理学的活性を検出すること、および
前記候補化合物の有効量を生体適合性担体に組み込むこと
を含む方法。